(57)【要約】【課題】フォトダイオードへの再入射を確実に行って、赤色感度を向上させる。【解決手段】複数の受光部２が形成された撮像デバイスの裏面に、反射材１１の凹面形状を反射した反射光が受光部２のＰＮ接合位置で焦点を結ぶように、受光部２の向きに反射材１１により凹面鏡を形成するように配置する。これにより、受光部２を一旦透過した入射光が、再び受光部２側に集光されて戻って光電変換され、感度、特に透過しやすい赤色光に関する赤色感度が向上する。半導体基板１の厚さも、反射材１１からの反射光が隣接する受光部２に到達しないような厚さとする。【選択図】図１
2011119484.tif 000002
【特許請求の範囲】
【請求項１】
半導体基板の表面側に、被写体からの画像光を光電変換して撮像する複数の受光部が２次元状に配設され、各受光部にそれぞれ入射光を集光させるマイクロレンズが配設された固体撮像素子において、
該半導体基板の裏面側に、該各受光部側からの光を反射させて該各受光部側にそれぞれ戻すための凹面鏡手段が該各受光部にそれぞれ対応して配設されている固体撮像素子。
【請求項２】
前記凹面鏡手段は、前記半導体基板の裏面の前記各受光部に対応する位置にそれぞれ配置された複数の凸状表面を持つ透明材と、該透明材上に形成された反射材とから構成されている請求項１に記載の固体撮像素子。
【請求項３】
前記凹面鏡手段の凹面鏡形状はそれぞれ、前記各受光部のそれぞれで焦点を結ぶように凹面の曲率が設定されている請求項１に記載の固体撮像素子。
【請求項４】
前記凹面鏡手段の凹面鏡形状による焦点位置と、前記マイクロレンズによる焦点位置とが  一致して共に前記受光部に設定されている請求項１に記載の固体撮像素子。
【請求項５】
前記受光部は、信号電荷を蓄積するための一導電型半導体領域と、該一導電型半導体領域の表面側に配設され、該一導電型半導体領域を内部に埋め込むための他導電型半導体領域とを有し、前記凹面鏡手段および前記マイクロレンズの各焦点位置が共に該一導電型半導体領域と該他導電型半導体領域との接合位置に設定されている請求項１に記載の固体撮像素子。
【請求項６】
前記半導体基板の厚さαは、光電変換が起こるのに十分な厚さ以上で、前記受光部への最大入射角θ、画素ピッチβとした場合、β／（２ｔａｎθ）以下である請求項１に記載の固体撮像素子。
【請求項７】
前記透明材と前記半導体基板との接着面の直径δは、前記受光部への最大入射角θ、該受光部のＰＮ接合位置から該半導体基板の底面までの距離γとした場合、２γ・ｔａｎθである請求項２に記載の固体撮像素子。
【請求項８】
前記透明材の凸状表面の曲率半径ξは、γ／ｃｏｓθである請求項２に記載の固体撮像素子。
【請求項９】
前記透明材の凸状表面の断面は、円の一部を切り取った表面形状をしている請求項２に記載の固体撮像素子。
【請求項１０】
前記透明材の材質は、透明シリコン系膜であり、前記反射材の材質は金属膜である請求項２に記載の固体撮像素子。
【請求項１１】
前記凹面鏡手段の外形は、前記受光部の平面視形状を内包する平面視矩形である請求項１、２および７のいずれかに記載の固体撮像素子。
【請求項１２】
隣接する列方向の複数の受光部間に垂直転送部が配設され、該垂直転送部上に絶縁膜を介して転送電極が設けられ、該転送電極上に絶縁膜を介して遮光膜が設けられ、該遮光膜には該受光部上を開口する開口部が形成されている請求項１に記載の固体撮像素子。
【請求項１３】
前記各受光部と前記転送電極および前記絶縁膜との段差部上を埋め込む層間膜上に、該各受光部にそれぞれ対応するようにカラーフィルタが所定の色配列で形成され、該カラーフィルタ上に、該各受光部および該カラーフィルタにそれぞれ対応するように前記マイクロレンズが形成されている請求項１２に記載の固体撮像素子。
【請求項１４】
請求項１〜１３のいずれかに記載の固体撮像素子を画像入力デバイスとして撮像部に用いた電子情報機器。
【発明の詳細な説明】
【技術分野】
【０００１】
本発明は、被写体からの画像光を光電変換して撮像する複数の受光部が２次元状に配設されたＣＣＤイメージャーやＣＭＯＳイメージャーなどの固体撮像素子および、この固体撮像素子を画像入力デバイスとして撮像部に用いた例えばデジタルビデオカメラおよびデジタルスチルカメラなどのデジタルカメラや、監視カメラなどの画像入力カメラ、スキャナ装置、ファクシミリ装置、テレビジョン電話装置、カメラ付き携帯電話装置などの電子情報機器に関する。
【背景技術】
【０００２】
この種の従来の固体撮像素子において、波長の長い赤い光は、表１に示すように半導体基板を透過し易いため、光の一部が、半導体基板に形成されたフォトダイオードで光電変換されずにフォトダイオードを透過してしまい、赤色感度が低下してしまうという問題があった。
【０００３】
これを解決するために、特許文献１で開示されている固体撮像素子の従来技術について図３〜図５を用いて説明する。
【０００４】
図３は、特許文献１で開示されている従来のＣＣＤ型固体撮像素子の一構成例を模式的に示す平面図である。
【０００５】
図３において、従来のＣＣＤ型固体撮像素子１００は、被写体からの画像光を光電変換して撮像する複数の受光部１０１が行方向および列方向にマトリクス状に配設されている。隣接する列方向の複数の受光部１０１間には垂直転送部１０２が配設され、一方列の複数の受光部１０１から読み出された各信号電荷が垂直転送部１０２により垂直方向に電荷転送される。複数列の垂直転送部１０２により垂直方向に電荷転送された各信号電荷は、今度は、一列に並べられて水平転送部１０３により水平方向に電荷転送される。水平転送部１０３により水平方向に電荷転送された各信号電荷は、電圧検出部で電圧変換されて増幅部１０４により増幅された後に撮像信号として順次出力される。
【０００６】
図４は、図３の従来の固体撮像素子の縦方向のＢＢ’線断面図であり、図５は、図３の従来の固体撮像素子の横方向のＡＡ’線断面図である。
【０００７】
図４および図５に示すように、従来のＣＣＤ型固体撮像素子１００において、まず、半導体基板１０５の表面側に複数の受光部１０１が等間隔に配置され、半導体基板１０５上に透明な酸化シリコン膜１０６を介して反射材１０７が各受光部１０１に対向するように設けられている。
【０００８】
このように、受光部１０１の受光面側に反射材１０７を配置することにより、フォトダイオードである受光部１０１を透過した赤い光１１１は反射材１０７との境界面で反射して反射光１１１ａとなり、再び受光部１０１に戻って入射し、これによって、赤色感度が向上する。
【０００９】
さらに、この特許文献１では、入射光１１２が反射材１０７との境界面で反射した光１１２ａが、隣の画素部に到達し、クロストークが起こることを避けるために、隣接する画素部間の画素分離部１０８上に反射材１１３を立てて配置している。これによって、反射光１１２ａは反射材１１３で反射して反射光１１２ｂとなって受光部１０１側に戻って入射する。
【００１０】
これによって、受光部１０１を透過し易い赤色光が受光部１０１に戻ることから、赤色感度が向上する。なお、垂直転送部１０２上に絶縁膜を介して転送電極１０９が設けられ、転送電極１０９上に絶縁膜を介して遮光膜１１０が設けられており、反射材１０７からの反射光は遮光膜１１０によって垂直転送部１０２に入射することはない。反射材１０７からの反射光は、受光部１０１上の遮光膜１１０の開口部を通して受光部１０１に入射される。
【００１１】
図６は、特許文献２で開示されている従来の固体撮像素子の要部構成例を示す縦断面図である。
【００１２】
図６に示すように、従来の固体撮像素子２００は、シリコン半導体基板２０１の表面側に、光電変換する光検出部としての受光部２０２と、受光部２０１から読み出した信号電荷を所定方向に電荷転送するＣＣＤ２０３とを所定方向に交互に配置したのものであり、隣接するＣＣＤ２０３側への光をも受光部２０２側に集光させる傾斜面を持つ集光部２０４がシリコン半導体基板２０１の裏面側に設けられている。この集光部２０４によって、隣接するＣＣＤ２０３側への光をも受光部２０２側に集光して、受光部２０２の光感度を向上させている。
【００１３】
図７は、特許文献３，４で開示されている従来の固体撮像素子の要部構成例を示す縦断面図である。
【００１４】
図７に示すように、従来のショットキ障壁型赤外線固体撮像素子３００は、ｐ型Ｓｉ３０１とショットキ電極３０２とから成るショットキダイオードを受光部としている。ｐ型Ｓｉ３０１は、例えば１０１３〜１０１５ｃｍー３程度のボロン濃度のものを用い、画素が配列された受光領域下が画素ピッチ程度あるいはそれ以下の厚さになっており、例えば１０〜５０μｍ程度である。ショットキ電極３０２は、金・ニッケル・コバルト、パラジウム・白金・イリジウムなどの金属あるいはニッケルシリサイド・コバルトシリサイド・パラジウムシリサイド・白金シリサイド・イリジウムシリサイドなどの金属シリサイドの膜から成っている。その厚さは裏面照射型の場合と同様、１〜６ｎｍ程度である。ショットキ電極３０２の周囲には電界集中による暗電流を抑制するためｎ型ガードリング３０３が設けてあり、ショットキ電極３０２から信号電荷を読み出すためのソース領域として、一部にｎ＋型領域３０４を形成している。
【００１５】
ｎ型ガードリング３０３は、リンまたは砒素濃度１０１６〜１０１８ｃｍー３程度を有し、幅０．５〜２μｍ程度の帯状でショットキ電極３０２の縁を取り巻いている。ｎ＋型領域３０４は、リンまたは砒素濃度１０１８〜１０２０ｃｍー３程度である。ｎ＋型領域３０４はｎ型ＣＣＤチャネル領域３０５と対向しており、その間のｐ型Ｓｉ３０１のままの領域が読み出しゲートとして働く。ｎ型ＣＣＤチャネル領域３０５は、リンまたは砒素濃度１０１６〜１０１７ｃｍー３程度である。熱酸化膜３０７を挟んで、ｎ型ＣＣＤチャネル領域３０５からｎ＋型領域３０４まで至る垂直ＣＣＤ電極３０８がある。
【００１６】
この垂直ＣＣＤ電極３０８は読み出しゲート電極を兼ねている。可視光によって垂直ＣＣＤが光電変換を起こさないように、垂直ＣＣＤ電極３０８上を覆うように金属遮光膜３０９が設けてある。画素部間にはｐ＋型素子分離領域３０６を設けているが、図の断面以外の読み出しゲートが無い部分においては、ショットキダイオードから成る受光部とｎ型ＣＣＤチャネル領域３０５との間にもｐ＋型素子分離領域３０６を設けている。ｐ＋型素子分離領域３０６は、ボロン濃度１０１７〜１０２０ｃｍー３程度である。素子上はＳｉ酸化物やＳｉ窒化物等から成る絶縁膜３１０で覆われている。
【００１７】
受光領域下のｐ型Ｓｉ３０１の裏面には、ｐ型Ｓｉ３０１と電気的接触を為し、ショットキ電極３０２を透過した赤外線を再利用するための金属反射鏡兼裏面電極３１１を具備している。
【００１８】
特許文献５でもこの金属反射鏡兼裏面電極３１１と同様の反射面が形成されて受光部を透過した光を再利用している。
【先行技術文献】
【特許文献】
【００１９】
【特許文献１】特願平２−１６８６６９号公報
【特許文献２】特開昭５９−１８２５６１号公報
【特許文献３】特開平１０−１７３９９８号公報
【特許文献４】特開平１１−２８９４９２号公報
【特許文献５】特開２００６−２２０４０５号公報
【発明の概要】
【発明が解決しようとする課題】
【００２０】
しかし、上記特許文献１〜５のうち、課題が同様であるため、上記特許文献１について説明する。
【００２１】
上記特許文献１で開示されている従来の固体撮像素子１００では、画素部間の画素分離部１０８上に配置される反射材１１３の形状が最適化されていなかったため、図４の入射光１１５の透過を完全に防げ無いことや、図４の入射光１１６の反射光１１６ａ，１１６ｂが受光部１０１に達しないことにより、赤色感度の低下を完全に抑制できないという問題があった。また、図５の入射光１１７が、垂直転送部１０２で光電変換されることにより、スミアの原因になるという問題もあった。
【００２２】
即ち、上記従来の固体撮像素子１００において、画素部間の画素分離部１０８上に反射材１１３を配置することにより、フォトダイオードで光電変換しなかった光の一部が再びフォトダイオードに入射し、光電変換することにより、赤色感度が多少改善する。しかるに、上記特許文献１の従来技術では、反射材１１３の配置が適切でなかったり、その反射の方向が正確に制御されていなかったために、フォトダイオードへの再入射が完全ではなく、これにより、赤色感度の改善が不十分であった。また、入射光の一部が垂直転送部１０２に入射してしまい、これが光電変換されることにより、スミアが発生するという問題もあった。
【００２３】
本発明は、上記従来の問題を解決するもので、フォトダイオードへの再入射を確実に行うことができて、赤色感度を向上させることができる固体撮像素子および、この固体撮像素子を画像入力デバイスとして撮像部に用いた例えばカメラ付き携帯電話装置などの電子情報機器を提供することを目的とする。
【課題を解決するための手段】
【００２４】
本発明の固体撮像素子は、半導体基板の表面側に、被写体からの画像光を光電変換して撮像する複数の受光部が２次元状に配設され、各受光部にそれぞれ入射光を集光させるマイクロレンズが配設された固体撮像素子において、該半導体基板の裏面側に、該各受光部側からの光を反射させて該各受光部側にそれぞれ戻すための凹面鏡手段が該各受光部にそれぞれ対応して配設されているものであり、そのことにより上記目的が達成される。
【００２５】
また、好ましくは、本発明の固体撮像素子における凹面鏡手段は、前記半導体基板の裏面の前記各受光部に対応する位置にそれぞれ配置された複数の凸状表面を持つ透明材と、該透明材上に形成された反射材とから構成されている。
【００２６】
さらに、好ましくは、本発明の固体撮像素子における凹面鏡手段の凹面鏡形状はそれぞれ、前記各受光部のそれぞれで焦点を結ぶように凹面の曲率が設定されている。
【００２７】
さらに、好ましくは、本発明の固体撮像素子における凹面鏡手段の凹面鏡形状による焦点位置と、前記マイクロレンズによる焦点位置とが  一致して共に前記受光部に設定されている。
【００２８】
さらに、好ましくは、本発明の固体撮像素子における受光部は、信号電荷を蓄積するための一導電型半導体領域と、該一導電型半導体領域の表面側に配設され、該一導電型半導体領域を内部に埋め込むための他導電型半導体領域とを有し、前記凹面鏡手段および前記マイクロレンズの各焦点位置が共に該一導電型半導体領域と該他導電型半導体領域との接合位置に設定されている。
【００２９】
さらに、好ましくは、本発明の固体撮像素子における半導体基板の厚さαは、光電変換が起こるのに十分な厚さ以上で、前記受光部への最大入射角θ、画素ピッチβとした場合、β／（２ｔａｎθ）以下である。
【００３０】
さらに、好ましくは、本発明の固体撮像素子において、前記透明材と前記半導体基板との接着面の直径δ（または接着面を成す矩形の内接円の直径δ）は、前記受光部への最大入射角θ、該受光部のＰＮ接合位置から該半導体基板の底面までの距離γとした場合、２γ・ｔａｎθである。
【００３１】
さらに、好ましくは、本発明の固体撮像素子における透明材の凸状表面の曲率半径ξは、γ／ｃｏｓθである。
【００３２】
さらに、好ましくは、本発明の固体撮像素子における透明材の凸状表面の断面は、円の一部を切り取った表面形状をしている。
【００３３】
さらに、好ましくは、本発明の固体撮像素子における透明材の材質は、酸化シリコン膜または窒化シリコン膜などの透明シリコン系膜であり、前記反射材の材質はアルミニュウムなどの金属膜である。
【００３４】
さらに、好ましくは、本発明の固体撮像素子における凹面鏡手段は、前記受光部の平面視形状を内包する平面視矩形である。
【００３５】
さらに、好ましくは、本発明の固体撮像素子において、隣接する列方向の複数の受光部間に垂直転送部が配設され、該垂直転送部上に絶縁膜を介して転送電極が設けられ、該転送電極上に絶縁膜を介して遮光膜が設けられ、該遮光膜には該受光部上を開口する開口部が形成されている。
【００３６】
さらに、好ましくは、本発明の固体撮像素子において、前記各受光部と前記転送電極および前記絶縁膜との段差部上を埋め込む層間膜上に、該各受光部にそれぞれ対応するようにカラーフィルタが所定の色配列で形成され、該カラーフィルタ上に、該各受光部および該カラーフィルタにそれぞれ対応するように前記マイクロレンズが形成されている。
【００３７】
本発明の電子情報機器は、本発明の上記固体撮像素子を画像入力デバイスとして撮像部に用いたものであり、そのことにより上記目的が達成される。
【００３８】
上記構成により、以下、本発明の作用を説明する。
【００３９】
本発明においては、半導体基板の表面側に、被写体からの画像光を光電変換して撮像する複数の受光部が２次元状に配設され、各受光部にそれぞれ入射光を集光させるマイクロレンズが配設された固体撮像素子において、半導体基板の裏面側に、各受光部側からの光を反射させて各受光部側にそれぞれ戻すための凹面鏡手段が各受光部にそれぞれ対応して配設されている。
【００４０】
このように、各受光部側からの光を反射させて各受光部側にそれぞれ戻すための凹面鏡手段が各受光部にそれぞれ対応して配設されているため、受光部を透過した光が凹面鏡手段で反射して確実に受光部に戻されることから、フォトダイオードである受光部への再入射を確実に行うことができて、赤色感度を向上させることが可能となる。
【発明の効果】
【００４１】
以上により、本発明によれば、各受光部側からの光を反射させて各受光部側にそれぞれ戻すための凹面鏡手段が各受光部にそれぞれ対応して配設されているため、受光部を透過した光が凹面鏡手段で反射して確実に受光部に戻されることから、フォトダイオードである受光部への再入射をより確実に行うことができて、赤色感度をいっそう向上させることができる。
【図面の簡単な説明】
【００４２】
【図１】本発明の実施形態１における固体撮像素子の要部構成例を示す縦断面図である。
【図２】本発明の実施形態２として、本発明の実施形態１の固体撮像素子を撮像部に用いた電子情報機器の概略構成例を示すブロック図である。
【図３】特許文献１で開示されている従来のＣＣＤ型固体撮像素子の一構成例を模式的に示す平面図である。
【図４】図３の従来の固体撮像素子の縦方向のＢＢ’線断面図である。
【図５】図３の従来の固体撮像素子の横方向のＡＡ’線断面図である。
【図６】特許文献２で開示されている従来の固体撮像素子の要部構成例を示す縦断面図である。
【図７】特許文献３，４で開示されている従来の固体撮像素子の要部構成例を示す縦断面図である。
【発明を実施するための形態】
【００４３】
以下に、本発明の固体撮像素子の実施形態１および、この固体撮像素子の実施形態１を画像入力デバイスとして撮像部に用いた例えばカメラ付き携帯電話装置などの電子情報機器の実施形態２について図面を参照しながら詳細に説明する。
【００４４】
（実施形態１）
図１は、本発明の実施形態１における固体撮像素子の要部構成例を示す縦断面図である。なお、図１の縦断面図は、断面図に電荷転送部を含む図３の横方向のＡＡ’線断面図の断面位置に対応している。
【００４５】
図１において、本実施形態１の固体撮像素子２０は、シリコン基板である半導体基板１の表面側に複数の受光部２（フォトダイオード）が平面視で縦方向および横方向に等間隔の２次元状でマトリクス状に配置されている。隣接する列方向の複数の受光部２間にはそれぞれ垂直転送部３が配設され、一方列の複数の受光部２から読み出された各信号電荷が各垂直転送部３により垂直方向に電荷転送される。なお、ここでは図示していないが、その後、複数列の垂直転送部３により垂直方向に電荷転送された各信号電荷は、今度は、一列に並べられて不図示の水平転送部により水平方向に電荷転送されて電圧検出部で電圧変換され、不図示の増幅部により増幅された後に撮像信号として順次外部に出力される。
【００４６】
複数列の垂直転送部３上には絶縁膜を介して転送電極４が形成されている。この転送電極４上には絶縁膜を介して遮光膜５が設けられ、遮光膜５は受光部２上を開口する開口部が形成されて、複数の受光部２上をそれぞれ入射光Ｌ用に開けている。
【００４７】
これらの複数の受光部２と転送電極４および遮光膜５との段差部上に透明の層間埋め込み層６を形成する。この層間埋め込み層６上に、層間埋め込み層６の凹凸表面を平坦化する透明の平坦化膜７を形成する。これらの層間埋め込み層６および平坦化膜７により、各受光部２と転送電極４および遮光膜５との段差部を埋め込む層間膜（透明層間絶縁膜）が構成されている。
【００４８】
さらに、この平坦化膜７上に、各受光部２にそれぞれ対応するようにカラーフィルタ８を形成する。カラーフィルタ８は、左から青色のカラーフィルタ８ａ、赤色のカラーフィルタ８ｂ、緑色のカラーフィルタ８ｃを順次、所定の色配列（例えばベイヤー配列）で形成する。さらに、カラーフィルタ８上に、透明の平坦化膜９を介して、各受光部２および各カラーフィルタ８にそれぞれ対応するように光集光用のマイクロレンズ１０をそれぞれ形成する。
【００４９】
一方、半導体基板１の裏面側には、各受光部２にそれぞれ対応するように、反射材１１を凹面鏡形状にするための表面が凸レンズ状光透過材である透明材１２がそれぞれ形成されている。つまり、半導体基板１の裏面には、各受光部２にそれぞれ対応する位置に凸状表面を持つ透明材１２と、透明材１２上に形成された反射材１１とにより、各受光部２側からの光を反射材１１の内面で反射させて各受光部２側にそれぞれ集光して戻すための凹面鏡手段１３が構成されている。
【００５０】
このように、透明材１２上に反射材１１が形成され、反射材１１の内面（凹面鏡）で光を各受光部２側にそれぞれ集光させて反射させる。反射材１１の凹面鏡の焦点は、マイクロレンズ１０により入射光が各受光部２にそれぞれ集光する入射光焦点位置Ｆに合わせて集光するように構成している。要するに、各受光部２の裏面側に、内面が凹面鏡をした反射材１１を、各受光部２などを透過した入射光が反射材１１の凹面鏡で反射し、反射材１１の凹面鏡からの反射光がマイクロレンズ１０からの各受光部２の入射光焦点位置Ｆで焦点を結ぶように、凹面鏡形状の曲率を設定している。
【００５１】
凹面鏡手段１３の凹面形状による反射光焦点位置Ｆと、マイクロレンズ１０による入射光焦点位置Ｆとは互いに一致して共に受光部２の所定位置に設定されている。より詳しくは、凹面鏡手段１３およびマイクロレンズ１０の各入射光焦点位置Ｆが共にＮ型半導体領域２ａとその表面のＰ型半導体領域２ｂとのＰＮ接合位置に設定されている。
【００５２】
透明材１２の材質は、酸化シリコン膜または窒化シリコン膜などの透明シリコン系膜であり、反射材１１の材質はアルミニュウムなどの金属膜である。また、凹面鏡手段１３の平面視外形は、受光部２の平面視形状（正方形または矩形など４角形状）を内包する平面視矩形であって、透明材１２と半導体基板１との接着面の後述の直径δとする円を内包する平面視矩形である。
【００５３】
ここで、反射材１１の凹面鏡形状について更に詳細に説明する。
【００５４】
図１に示すように、マイクロレンズ１０を透過した入射光Ｌの画素（受光部２）への最大入射角θは制限されている。その最大入射角θ以内で入射した光のうち、波長の長い赤色の光の一部は、受光部２で光電変換されずに受光部２を透過する可能性がある。その最大入射角θで入射した光が受光部２を透過した場合、半導体基板１の厚さαが、画素ピッチをβ（１〜１０μｍ）とすると、
２α・ｔａｎθ＜β  
∴  α＜β／（２ｔａｎθ）
であるように制限されている。これにより、前述の入射光は隣接する画素（受光部２）に到達しない。さらに、シリコン基板である半導体基板１の厚さαは光電変換が起こるのに十分な厚さ（３μｍ）以上である必要がある（表１参照）。
【００５５】
【表１】
2011119484.tif 000003
表１は、  光の色と吸収の深さ（参考文献：「ＣＣＤ／ＣＭＯＳイメージセンサの基礎と応用」；米本和也著）を示している。
【００５６】
要するに、半導体基板１の厚さαは、光電変換が起こるのに十分な厚さ（３μｍ）以上で、受光部２への最大入射角θ、画素ピッチをβとした場合、β／（２ｔａｎθ）以下としている。
【００５７】
この反射材１１は、受光部２側の裏面に設けられた透過材１２の凸状表面に付加されるため、反射材１１の凹面形状は、受光部２側の裏面に付加された透過材１２の凸状表面形状によって規定される。透明材１２は、一つの画素（受光部２）に対し、一つの凸状表面形状を成し、凸状表面の断面は、円の一部を切り取った形状をしており、その表面に付加された反射材１１によって反射された反射光が、受光部２を形成するＮ型半導体領域２ａとその表面側のＰ型半導体領域２ｂのＰＮ接合部で焦点を結ぶ形状をしている。
【００５８】
一方、マイクロレンズ１０の焦点位置もＮ型半導体領域２ａとＰ型半導体領域２ｂの接合部であって、マイクロレンズ１０の入射光焦点位置Ｆと反射材１１の凹面形状の反射光焦点位置Ｆとは互いに一致している。
【００５９】
即ち、透明材１２と半導体基板１との接着面の直径をδ、受光部２の接合部から、半導体基板１の底面までの距離をγとすると、
δ≒２γ・ｔａｎθ
であり、透過材１２の曲率半径をξとすると、
γ≒ξ・ｃｏｓθ
∴  ξ≒γ／ｃｏｓθ  
である。
【００６０】
要するに、透明材２ａと半導体基板１との接着面の平面視直径δ（または接着面を成す矩形の内接円の直径δ）は、受光部２への最大入射角θとし、受光部２のＰＮ接合位置から半導体基板１の底面までの距離をγとした場合に、２γ・ｔａｎθである。また、透明材１２の凸状表面の曲率半径ξは、γ／ｃｏｓθである．
さらに、本デバイスの入射面は、転送電極４を形成するポリシリコンとそれを覆う遮光膜５の配置された面であることにより、裏面からの反射光は受光部２の接合部に至ることから、光が垂直転送部３に達して光電変換することが回避されてスミアを防止することができる。
【００６１】
以上により、本実施形態１によれば、複数の受光部２が形成された撮像デバイスの裏面に、反射材１１の凹面形状を反射した反射光が受光部２のＰＮ接合位置で焦点を結ぶように、受光部２の向きに凹面鏡を形成するように配置する。これにより、受光部２を一旦透過した入射光が、再び受光部２側に集光されて戻って光電変換され、感度、特に透過しやすい赤色光に関する赤色感度が向上する。半導体基板１の厚さが、反射材１１からの反射光が隣接する受光部２に到達しないような厚さであることにより、クロストークが抑制され、反射材１１からの反射光が垂直転送部３に達して光電変換されない。このため、スミアを抑制することができる。
【００６２】
（実施形態２）
図２は、本発明の実施形態２として、本発明の実施形態１の固体撮像素子２０を撮像部に用いた電子情報機器の概略構成例を示すブロック図である。
【００６３】
図２において、本実施形態２の電子情報機器９０は、上記実施形態１の固体撮像素子２０からの撮像信号に所定の信号処理をしてカラー画像信号を得る固体撮像装置９１と、この固体撮像装置９１からのカラー画像信号を記録用に所定の信号処理した後にデータ記録可能とする記録メディアなどのメモリ部９２と、この固体撮像装置９１からのカラー画像信号を表示用に所定の信号処理した後に液晶表示画面などの表示画面上に表示可能とする液晶表示装置などの表示手段９３と、この固体撮像装置９１からのカラー画像信号を通信用に所定の信号処理をした後に通信処理可能とする送受信装置などの通信手段９４と、この固体撮像装置９１からのカラー画像信号を印刷用に所定の印刷信号処理をした後に印刷処理可能とするプリンタなどの画像出力手段９５とを有している。なお、この電子情報機器９０として、これに限らず、固体撮像装置９１の他に、メモリ部９２と、表示手段９３と、通信手段９４と、プリンタなどの画像出力手段９５とのうちの少なくともいずれかを有していてもよい。
【００６４】
この電子情報機器９０としては、前述したように例えばデジタルビデオカメラ、デジタルスチルカメラなどのデジタルカメラや、監視カメラ、ドアホンカメラ、車載用後方監視カメラなどの車載用カメラおよびテレビジョン電話用カメラなどの画像入力カメラ、スキャナ装置、ファクシミリ装置、カメラ付き携帯電話装置および携帯端末装置（ＰＤＡ）などの画像入力デバイスを有した電子機器が考えられる。
【００６５】
したがって、本実施形態３によれば、この固体撮像装置９１からのカラー画像信号に基づいて、これを表示画面上に良好に表示したり、これを紙面にて画像出力手段９５により良好にプリントアウト（印刷）したり、これを通信データとして有線または無線にて良好に通信したり、これをメモリ部９２に所定のデータ圧縮処理を行って良好に記憶したり、各種データ処理を良好に行うことができる。
【００６６】
なお、本実施形態１では、半導体基板１の表面側に、被写体からの画像光を光電変換して撮像する複数の受光部２が２次元状でマトリクス状に配設され、各受光部２にそれぞれ入射光を集光させるマイクロレンズ１０が配設された固体撮像素子２０において、凹面鏡手段１３およびマイクロレンズ１０の各焦点位置Ｆが共にＮ型半導体領域２ａとＰ型半導体領域２ｂとのＰＮ接合位置に設定されている場合について説明し、これによって、フォトダイオードである受光部２への再入射を確実に行って、赤色感度を向上させることができる本発明の目的を達成する場合について説明したが、これに限らず、半導体基板１の裏面側に、各受光部２側からの光を反射させて各受光部２側にそれぞれ戻して集光するための凹面鏡手段１３が各受光部２にそれぞれ対応して配設されていてもよい。この場合、凹面鏡手段１３の凹面鏡形状はそれぞれ、各受光部２のそれぞれで焦点を結ぶように凹面の曲率が設定されているし、凹面鏡手段１３の凹面鏡形状による焦点位置Ｆと、マイクロレンズ１０による焦点位置Ｆとが  互いに一致して共に受光部２に設定されていてもよい。凹面鏡手段１３は、その反射光を受光部２の所定位置としてＰＮ接合位置に集光させなくても、その反射光を受光部２側のＰＮ接合位置以外の位置に集光させてもよいし、凹面鏡手段１３の凹面鏡形状による焦点位置Ｆと、マイクロレンズ１０による焦点位置Ｆとが一致していなくても、受光部２への再入射を確実に行って、赤色感度を向上させることができる本発明の目的を達成することができる。
【００６７】
以上のように、本発明の好ましい実施形態１〜３を用いて本発明を例示してきたが、本発明は、この実施形態１〜３に限定して解釈されるべきものではない。本発明は、特許請求の範囲によってのみその範囲が解釈されるべきであることが理解される。当業者は、本発明の具体的な好ましい実施形態１〜３の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【産業上の利用可能性】
【００６８】
本発明は、被写体からの画像光を光電変換して撮像する複数の受光部が２次元状に配設されたＣＣＤイメージャーやＣＭＯＳイメージャーなどの固体撮像素子および、この固体撮像素子を画像入力デバイスとして撮像部に用いた例えばデジタルビデオカメラおよびデジタルスチルカメラなどのデジタルカメラや、監視カメラなどの画像入力カメラ、スキャナ装置、ファクシミリ装置、テレビジョン電話装置、カメラ付き携帯電話装置などの電子情報機器の分野において、各受光部側からの光を反射させて各受光部側にそれぞれ戻すための凹面鏡手段が各受光部にそれぞれ対応して配設されているため、受光部を透過した光が凹面鏡手段で反射して確実に受光部に戻されることから、フォトダイオードへの再入射を確実に行うことができて、赤色感度を向上させることができる。
【符号の説明】
【００６９】
１  半導体基板
２  受光部（フォトダイオード）
２ａ  電荷蓄積部であるＮ型半導体領域
２ｂ  Ｎ型半導体領域の表面側に形成されたＰ型半導体領域
２ｃ  ＰＮ接合部（焦点位置）
３    垂直転送部
４，５  多層配線
６  層間埋め込み層
７，９  平坦化膜
８  カラーフィルタ
８ａ  青色のカラーフィルタ
８ｂ  赤色のカラーフィルタ
８ｃ  緑色のカラーフィルタ
１０  マイクロレンズ
１１  反射材
１１ａ  凹面形状（凹面鏡形状）
１２  透明材（光透過材）
１３  凹面鏡手段
Ｆ  入射光焦点位置（または反射光焦点位置）
α  半導体基板の厚さ
β  画素ピッチ
θ  マイクロレンズを透過した入射光の最大入射角
δ  透明材と半導体基板との接着面の直径
γ  受光部を成す拡散層の上面から、半導体基板１の底面までの距離
ξ  透明材の表面曲率半径（反射材の凹面曲率半径）
９０  電子情報機器
９１  固体撮像装置
９２  メモリ部
９３  表示手段
９４  通信手段
９５  画像出力手段
【図２】
2011119484.tif 000004
【図３】
2011119484.tif 000005
【図６】
2011119484.tif 000006
【図７】
2011119484.tif 000007
【図１】
2011119484.tif 000008
【図４】
2011119484.tif 000009
【図５】
2011119484.tif 000010